(57)【特許請求の範囲】
【請求項１】
列車のダイヤ管理を行うダイヤ管理装置と、前記列車の各駅における到着時刻および出発時刻の予測値をネットワーク経由で送信する列車運行情報提供装置とを含む列車運行管理システムであって、
前記ダイヤ管理装置は、
所定期間ごとに、各駅における前記列車の実際の到着時刻および出発時刻である実績データを、前記各駅に設置される進路制御装置から取得する実績データ取得部と、
前記列車の当日の実施予定ダイヤを格納する記憶部と、
前記実績データを取得すると、取得した前記列車の実績データと、前記当日の実施予定ダイヤとを比較して、前記列車の遅延時間を算出する遅延時間算出部と、
（１）前記算出の結果、前記列車の遅延を検出し、（２）前記ダイヤ管理装置の入力装置であるコンソールから、前記列車の当日の実施予定ダイヤの変更指示である運転整理入力がされたとき、
最新の前記列車の遅延時間および前記運転整理入力により変更されたダイヤに基づき、前記遅延が回復するまでの前記列車の到着時刻および出発時刻の予測値を算出し、前記算出した前記列車の各駅における到着時刻および出発時刻の予測値を、前記列車運行情報提供装置へ出力する列車運行状態予測部と、
を備え、
前記列車運行情報提供装置は、
前記ダイヤ管理装置から出力された前記予測値と、配送計画管理装置の識別情報ごとに、前記予測値のうち、読み出す予測値の範囲および前記予測値の送信条件の少なくとも一方を示した設定情報とを格納する記憶部と、
前記設定情報に従い、前記記憶部から前記列車の到着時刻および出発時刻の予測値を読み出し、この読み出した予測値を、前記列車および輸送用自動車による配送計画管理を行う前記配送計画管理装置へ送信する処理部と、
を備えることを特徴とする列車運行管理システム。
【請求項２】
前記処理部は、前記配送計画管理装置への予測値の送信履歴を作成する送信履歴作成部を備え、
前記記憶部は、前記送信履歴作成部が作成した送信履歴を格納することを特徴とする請求項１に記載の列車運行管理システム。
【請求項３】
列車のダイヤ管理を行うダイヤ管理装置と、前記列車の各駅における到着時刻および出発時刻の予測値をネットワーク経由で送信する列車運行情報提供装置とを含む列車運行管理システムに用いられるダイヤ管理装置であって、
所定期間ごとに、各駅における前記列車の実際の到着時刻および出発時刻である実績データを、前記各駅に設置される進路制御装置から取得する実績データ取得部と、
前記列車の当日の実施予定ダイヤを格納する記憶部と、
前記実績データを取得すると、取得した前記列車の実績データと、前記当日の実施予定ダイヤとを比較して、前記列車の遅延時間を算出する遅延時間算出部と、
（１）前記算出の結果、前記列車の遅延を検出し、（２）前記ダイヤ管理装置の入力装置であるコンソールから、前記列車の当日の実施予定ダイヤの変更指示である運転整理入力がされたとき、
最新の前記列車の遅延時間および前記運転整理入力により変更されたダイヤに基づき、前記遅延が回復するまでの前記列車の到着時刻および出発時刻の予測値を算出し、前記算出した前記列車の各駅における到着時刻および出発時刻の予測値を、列車運行情報提供装置へ出力する列車運行状態予測部と、
を備えることを特徴とするダイヤ管理装置。
【請求項４】
列車のダイヤ管理を行うダイヤ管理装置と、前記列車の各駅における到着時刻および出発時刻の予測値をネットワーク経由で送信する列車運行情報提供装置とを含む列車運行管理システムを用いた列車運行情報提供方法であって、
前記ダイヤ管理装置は、
所定時間ごとに各駅における前記列車の実際の到着時刻および出発時刻である実績データを、前記各駅に設置される進路制御装置から取得するステップと、
前記実績データを取得すると、取得した前記列車の実績データと、記憶部に格納された前記列車の当日の実施予定ダイヤとを比較して、前記列車の遅延時間を算出するステップと、
（１）前記算出の結果、前記列車の遅延を検出し、（２）前記ダイヤ管理装置の入力装置であるコンソールから、前記列車の当日の実施予定ダイヤの変更指示である運転整理入力がされたとき、
最新の前記列車の遅延時間および前記運転整理入力により変更されたダイヤに基づき、前記遅延が回復するまでの前記列車の各駅における到着時刻および出発時刻の予測値を算出し、前記算出した予測値を、前記列車運行情報提供装置へ出力するステップと、
を実行することを特徴とする列車運行情報提供方法。
【発明の詳細な説明】
【技術分野】
【０００１】
本発明は、列車運行管理システム、ダイヤ管理装置、列車運行情報提供装置および列車運行情報提供方法に関する。
【背景技術】
【０００２】
近年、モーダルシフト（ＣＯ2削減や輸送エネルギーの効率化のため、自動車による幹線貨物輸送を、大量輸送が可能な列車等に転換していくこと）の推進が要求されている。このモーダルシフトを積極的に進めるためには、列車（幹線貨物輸送）および自動車（幹線以外の輸送）を組み合わせた配送計画を作成する必要がある。この配送計画において、自動車や列車等の交通機関に遅れが発生したときには、この遅れを考慮して配送計画を変更することが重要である。特許文献１,２には、自動車や列車に遅れが発生したとき、これらの交通機関の最新の運行状況（ダイヤ等）を取得して、配送計画を速やかに変更する技術が開示されている。
【０００３】
【特許文献１】特開平８−２３５２６３号公報
【特許文献２】特開２００１−８４４９１号公報
【発明の開示】
【発明が解決しようとする課題】
【０００４】
しかし、これらの交通機関の情報のうち、列車の運行情報（例えば、遅延した列車の各駅の到着時刻および出発時刻）は、大まかなものが多く、効率的な配送計画を立てにくい。つまり、配送計画を行う配送計画管理装置が、正確な列車の運行情報を得られないので、効率的な配送計画を立てにくいという問題がある。特に、鉄道輸送の場合は、対応者が、列車への貨物の積み込み側と積み出し側とに分かれるため、より正確な列車の運行情報を得ておく必要がある。
【０００５】
そこで本発明は、前記した問題を解決し、配送計画管理装置へ列車の各駅における到着出発時刻の正確な予測値を提供する列車運行管理システム等を提供することを課題とする。
【課題を解決するための手段】
【０００６】
前記した課題を解決するため、本発明は、列車運行管理システムのダイヤ管理装置が、列車の遅延等が発生した場合に遅延回復までの列車運行情報の予測値（列車の各駅における到着時刻および出発時刻の予測値）を算出し、この列車運行情報を、列車運行情報提供装置へ出力する構成とした。また、列車運行情報提供装置は、配送計画管理装置へ列車運行情報の予測値を送信する構成とした。その他の構成については、後記する実施の形態で述べる。
【発明の効果】
【０００７】
本発明によれば、配送計画管理装置は、正確かつ最新のダイヤ予測値（列車の各駅における到着時刻および出発時刻の予測値）を取得できるので、最適な配送計画を立てることができる。従って、配送会社等は、貨物を効率的に配送することができる。
【発明を実施するための最良の形態】
【０００８】
以下、本発明の実施の形態について、図面を参照して詳細に説明する。
【０００９】
図１は、本実施の形態の配送システムを示す図である。配送システムは、列車運行管理システム１００と、配送計画管理装置４０１と、ネットワーク３００とを含んで構成される。
【００１０】
（配送計画管理装置）
配送計画管理装置４０１は、貨物の配送会社に設置され、ネットワーク３００経由で列車運行管理システム１００の列車運行情報提供サーバ１１３から列車運行に関するデータを取得し、このデータに基づき自動車（輸送トラック等）と列車とを用いた貨物の配送計画を管理する装置である。例えば、輸送トラックＡでｘｘ時ｘｘ分までにＢ駅に貨物を運び、この貨物を列車ＣでＤ駅まで運び、ｙｙ時ｙｙ分までに輸送トラックＥがＤ駅にこの貨物を取りにいく、といった配送計画を管理する。
【００１１】
この配送計画管理装置４０１は、記憶部、入出力インタフェース、ネットワークインタフェース、演算処理部等を備えるコンピュータにより実現される。この配送計画管理装置４０１には配送計画管理用のプログラムやブラウザ等がインストールされており、前記した演算処理部がこのプログラムを実行することにより配送計画管理装置４０１の各機能を実現するものとする。なお、ネットワーク３００は、例えば、ＩＰ（Internet Protocol）網やインターネット等である。
【００１２】
（管理システム）
列車運行管理システム１００は、中央装置１１０と、各駅に設置される駅装置１２０と、運行管理ネットワーク１３０とを含んで構成される。この駅装置１２０は、信号機や転てつ器等の地上設備２０１へ制御信号を出力するとともに、この地上設備２０１から在線位置情報（軌道回路単位で現在どの列車がどこに在線しているかの情報）を取得する。そして、駅装置１２０は、運行管理ネットワーク１３０経由で、列車の在線位置情報を中央装置１１０へ送信する。この運行管理ネットワーク１３０は、中央装置１１０と駅装置１２０とを接続する伝送路であり、光ファイバ網やＬＡＮ（Local Area Network）等により構成される。
【００１３】
（中央装置）
中央装置１１０は、ダイヤ管理装置１１１と、コンソール１１２と、列車運行情報提供サーバ（列車運行情報提供装置）１１３とを含んで構成される。
【００１４】
ダイヤ管理装置１１１は、運行管理ネットワーク１３０経由で駅装置１２０から列車の実際の運行情報である実績データを取得する。この実績データは、列車の列車番号、各駅の到着・出発・通過時刻等を含むデータである。ダイヤ管理装置１１１は、コンソール１１２からの指示入力に基づき随時変更ダイヤを作成し、当日の列車のダイヤ（当日実施予定ダイヤ）に反映し、この当日実施予定ダイヤを駅装置１２０へ送信する。
【００１５】
コンソール１１２は、ダイヤ管理装置１１１に対する各種指示入力を行ったり、ダイヤ管理装置１１１で作成されたダイヤを表示したりする装置である。ダイヤ管理装置１１１の操作者は、このコンソール１１２に表示される情報を見ながら、ダイヤ作成のための各種指示入力を行う。
【００１６】
列車運行情報提供サーバ１１３は、ダイヤ管理装置１１１から列車の到着出発時刻の予測値（列車の予測運行情報）を取得し、格納しておく。そして、配送計画管理装置４０１からの要求に応じて、この到着出発時刻の予測値を配送計画管理装置４０１へ送信する。この列車運行情報提供サーバ１１３は、ネットワーク３００経由で通信可能なＷｅｂサーバ等により実現される。
【００１７】
（駅装置）
駅装置１２０は、進路制御装置１２１と、連動装置１２２とを含んで構成される。
【００１８】
進路制御装置１２１は、運行管理ネットワーク１３０経由で、ダイヤ管理装置１１１から送信された当日実施予定ダイヤを受信する。そして、進路制御装置１２１は、この当日実施予定ダイヤに基づき列車の進路情報を作成し、この進路情報に基づき連動装置１２２に指令を出す。また、進路制御装置１２１は、連動装置１２２から列車の在線位置情報を取得する。そして、この在線位置情報に、列車を識別する列車番号や、各駅の到着・出発・通過時刻等を付加し、実績データとしてダイヤ管理装置１１１へ送信する。
【００１９】
連動装置１２２は、進路制御装置１２１から出力された指令に基づき地上設備２０１の制御処理を行う。また、この連動装置１２２は、地上設備２０１から検出した列車の在線位置を取得し、この列車の在線位置を在線位置情報として進路制御装置１２１へ出力する。
【００２０】
（ダイヤ管理装置）
ダイヤ管理装置１１１は、ハードディスク装置等の記憶部、ＣＰＵ（Central Processing Unit）等の演算処理部、ＣＰＵが演算処理に用いるメインメモリ、コンソール１１２および列車運行情報提供サーバ１１３との入出力インタフェース、運行管理ネットワーク１３０経由で通信を行うためのネットワークインタフェース等を備える。記憶部には、ダイヤ管理プログラムが格納され、ＣＰＵがこのダイヤ管理プログラムを実行することでダイヤ管理装置１１１の処理部５２０（後記）の各機能を実現する。
【００２１】
図２は、図１のダイヤ管理装置の構成を機能展開して説明したブロック図である。
図２を用いてダイヤ管理装置１１１の機能を詳細に説明する。ダイヤ管理装置１１１は、記憶部５１０、処理部５２０および入出力部１７０を備える。
【００２２】
記憶部５１０は、列車の当日実施予定ダイヤ５０１と、実績ダイヤ５０２と、変更ダイヤ５０４とを格納する。この記憶部５１０は前記したとおりハードディスク装置等により構成される。
当日実施予定ダイヤ５０１は、列車の当日実施予定ダイヤであり、処理部５２０が作成したものでもよいし、外部の装置が作成したものであってもよい。外部の装置で作成された場合には、入出力部１７０経由で記憶部５１０に格納される。実績ダイヤ５０２は、列車の実績データ（走行履歴）を記録したものである。変更ダイヤ５０４は、コンソール１１２からの運転整理入力に基づき作成された、変更後のダイヤである。
【００２３】
入出力部１７０は、運行管理ネットワーク１３０経由で、駅装置１２０との間でデータ入出力を行う。また、コンソール１１２とのデータ入出力および列車運行情報提供サーバ１１３へのデータ出力を行う。この入出力部１７０は、前記した入出力インタフェースおよびネットワークインタフェースにより構成される。
【００２４】
処理部５２０は、列車の実績データおよびコンソール１１２から入力された運転整理入力（ダイヤの修正指示等）に基づき、列車の運行状態を予測する。例えば、実績データから列車に遅延が発生していることが分かった場合、この遅延時間と、記憶部５１０に格納される各ダイヤとを参照して、列車の各駅への到着時刻、各駅の出発時刻等を予測する。そして、処理部５２０は、この予測結果（到着出発時刻）を列車運行情報提供サーバ１１３へ出力する。
【００２５】
このため処理部５２０は、実績データ取得部５２１と、遅延時間算出部５２３と、列車運行状態予測部５２４と、変更ダイヤ作成部５２５とを含んで構成される。
【００２６】
実績データ取得部５２１は、所定期間ごと（例えば、数秒ごと）に駅装置１２０から実績データを取得する。そして、取得した実績データから実績ダイヤ５０２を作成し、記憶部５１０へ格納する。
【００２７】
遅延時間算出部５２３は、実績ダイヤ５０２と当日実施予定ダイヤ５０１とを比較して、列車の遅延時間（実績ダイヤ５０２と当日実施予定ダイヤ５０１との差分情報）を算出する。この遅延時間は、列車運行状態予測部５２４に出力する。
【００２８】
変更ダイヤ作成部５２５は、コンソール１１２からの運転整理入力に基づき変更ダイヤ５０４を作成し、この変更ダイヤ５０４を記憶部５１０に格納する。
なお、運転整理入力は、変更ダイヤ作成部５２５が変更ダイヤ５０４を作成するためのパラメータの組み合わせであり、このパラメータの値は、列車遅延の原因および状況、遅延発生後の列車走行方法（ダイヤ回復を見込んだ列車の速度や、各駅での停車時間等）を考慮した値とする。
【００２９】
列車運行状態予測部５２４は、列車の遅延時間と、当日実施予定ダイヤ５０１と、変更ダイヤ５０４とに基づいて、列車のダイヤ回復までの間の運行状態を予測する。つまり、列車のダイヤ回復のための運行ダイヤを算出する。具体的には、列車の各駅への到着時刻および出発時刻（到着出発時刻）を予測し、この予測値を、入出力部１７０経由で列車運行情報提供サーバ１１３へ出力する。
なお、特にコンソール１１２から運転整理入力がされていない場合、つまり変更ダイヤ５０４が作成されていない場合には、列車運行状態予測部５２４は、当日実施予定ダイヤ５０１および遅延時間に基づき、列車の到着出発時刻を予測する。
【００３０】
また、列車運行状態予測部５２４が到着出発時刻を予測するタイミングは、駅装置１２０から実績データを取得したとき、またはコンソール１１２から運転整理入力がされたときである。また、列車運行状態予測部５２４は、到着出発時刻の予測を行うたびに、到着出発時刻を列車運行情報提供サーバ１１３へ出力するものとする。つまり、ダイヤ管理装置１１１は、最新の実績データまたは運転整理入力がされるたびに到着出発時刻の予測を行い、この予測結果を列車運行情報提供サーバ１１３へ出力する。従って、列車運行情報提供サーバ１１３は、常に最新の到着出発時刻を得ることができる。
なお、当日実施予定ダイヤ５０１と、実績ダイヤ５０２との間に差がなく（遅延時間がなく）、かつ変更ダイヤ５０４も作成されていないときには、列車運行状態予測部５２４は、到着出発時刻の予測を行わないようにしてもよい。つまり、列車運行状態予測部５２４は、遅延時間が発生したことまたは運転整理入力がされたことをトリガとして到着出発時刻の予想を行うようにしてもよい。
【００３１】
また、到着出発時刻を予測する際に用いる変更ダイヤ５０４は、列車遅延の原因および状況、遅延発生後の列車走行方法等を考慮した値から作成されているので、予測される到着出発時刻の精度を非常に高いものとすることができる。
【００３２】
処理部５２０は、列車運行状態予測部５２４が、到着出発時刻を出力した後、当日実施予定ダイヤ５０１に反映する。つまり、当日実施予定ダイヤ５０１を最新の情報に更新する。なお、列車運行状態予測部５２４による到着出発時刻の予測は、特開２００３-２７６６０９号公報に記載される技術により実現可能である。
【００３３】
（列車運行情報提供サーバ）
列車運行情報提供サーバ１１３は、ハードディスク装置等の記憶部、ＣＰＵ等の演算処理部、ＣＰＵが演算処理に用いるメインメモリ、ダイヤ管理装置１１１との間でデータ入出力をするための入出力インタフェース、ネットワーク３００経由で通信を行うためのネットワークインタフェース等を備える。この列車運行情報提供サーバ１１３は、例えば、ネットワーク３００に接続されるＷｅｂサーバにより実現される。列車運行情報提供サーバ１１３の記憶部には、列車運行情報提供プログラムが格納され、ＣＰＵがこの列車運行情報提供プログラムを実行することで列車運行情報提供サーバ１１３の処理部３２０（後記）の機能を実現する。
【００３４】
図３は、図１の列車運行情報提供サーバを機能展開して説明したブロック図である。図３を用いて、列車運行情報提供サーバ１１３の機能を説明する。
【００３５】
列車運行情報提供サーバ１１３は、記憶部３１０と、処理部３２０と、入出力部３７０とを備える。入出力部３７０は、ネットワーク３００経由で、配送計画管理装置４０１との間でデータ入出力を行う。また、ダイヤ管理装置１１１からのデータの入力を受け付ける。この入出力部３７０は、前記した入出力インタフェースおよびネットワークインタフェースにより構成される。
【００３６】
処理部３２０は、ダイヤ管理装置１１１から到着出発時刻を取得すると、これを記憶部３１０に格納する。そして、配送計画管理装置４０１からの到着出発時刻（到着出発時刻の予測値）の取得要求を受信すると、この到着出発時刻の予測値を配送計画管理装置４０１へ送信する。記憶部３１０は、到着出発時刻（到着出発時刻の予測値）３１１および設定情報３１２を格納する。到着出発時刻（到着出発時刻の予測値）３１１は、列車の列車番号、各駅の到着時刻および出発時刻の予測値が記述された情報である。設定情報３１２については後記する。
【００３７】
このため処理部３２０は、到着出発時刻取得部３２１と、到着出発時刻読み出し部３２２と、送信用データ作成部３２３と、設定情報作成部３２４と、送信履歴作成部３２５と、データ送信部３２６とを含んで構成される。なお、設定情報作成部３２４と、送信履歴作成部３２５については後記する。
【００３８】
到着出発時刻取得部３２１は、ダイヤ管理装置１１１から出力された到着出発時刻の予測値を、記憶部３１０へ格納する。つまり、最新の到着出発時刻の予測値を受け取ると、これに基づき記憶部３１０の到着出発時刻３１１を更新する。また、到着出発時刻読み出し部３２２は、配送計画管理装置４０１からの到着出発時刻の取得要求に応じて、記憶部３１０に格納された到着出発時刻３１１から取得要求の対象の情報を読み出し、この情報を送信用データ作成部３２３へ出力する。
【００３９】
なお、配送計画管理装置４０１からの到着出発時刻の取得要求には、配送計画管理装置４０１の識別情報、列車の列車番号、出発駅および到着駅、出発駅の出発時刻、到着駅への到着時刻等の情報が含まれる。この配送計画管理装置４０１の識別情報は、例えばＩＰ（Internet Protocol）アドレス等である。
【００４０】
送信用データ作成部３２３は、到着出発時刻読み出し部３２２により読み出された到着出発時刻を送信用データ（例えば、ＨＴＭＬ（HyperText Markup Language）データ）に変換する。データ送信部３２６は、送信用データ作成部３２３が作成した送信用データを入出力部経由で配送計画管理装置４０１へ送信する。
【００４１】
なお、ここでは列車運行情報提供サーバ１１３は、配送計画管理装置４０１から到着出発時刻の取得要求があったときに、これに応じてデータを送信することとしたが、配送計画管理装置４０１へデータを送信するタイミングや、送信する（読み出す）到着出発時刻の情報の範囲や条件等を、予め設定情報３１２として記憶部３１０に記憶しておき、この設定情報３１２に基づきデータを送信するようにしてもよい。
【００４２】
例えば、設定情報３１２に、列車の列車番号を指定しておき、この列車に所定時間以上の遅延時間が発生したとき、この列車に関する到着出発時刻３１１の情報を送信するような記述をするようにしてもよい。つまり、設定情報３１２に「列車Ａに５分以上の遅延が発生したときに、この列車Ａに関する到着出発時刻の情報を、識別情報ｘｘｘの配送計画管理装置４０１へ送信する」という条件を記述しておく。そして、到着出発時刻読み出し部３２２は、この条件に従って到着出発時刻３１１の情報を読み出し、送信用データ作成部３２３は、この情報の送信用データ（ＨＴＭＬデータ等）を作成し、データ送信部３２６はこのデータを、識別情報ｘｘｘの配送計画管理装置４０１へ送信するようにする。このようにすることで、配送計画管理装置４０１は、自身の配送計画に関係する列車の最新の到着出発時刻の予測値をすぐに取得することができる。
【００４３】
また、設定情報３１２に、到着出発時刻３１１の更新の有無にかかわらず、所定期間ごとに、指定された列車に関する到着出発時刻３１１の情報を送信する旨の情報を書き込んでもよい。なお、この設定情報３１２は、配送計画管理装置４０１からネットワーク３００経由で送信された情報に基づき、処理部３２０の設定情報作成部３２４が作成し、記憶部３１０に出力するものとする。
【００４４】
記憶部３１０は、配送計画管理装置４０１の識別情報ごとの送信履歴３１３を格納する。この送信履歴３１３は、配送計画管理装置４０１の識別情報、この配送計画管理装置４０１へデータを送信した日時等を示したものであり、データ送信部３２６が配送計画管理装置４０１へデータを送信したとき、送信履歴作成部３２５が作成する。列車運行情報提供サーバ１１３がこのような送信履歴３１３を作成しておくことで、列車運行情報の提供を行う事業者が、配送会社等のデータ取得頻度に応じた課金を行うこともできる。
【００４５】
図４は、図１のダイヤ管理装置が実績データを取得したときの動作手順を示すフローチャートであり、図５は、図１のダイヤ管理装置が運転整理入力を受けたときの動作手順を示すフローチャートである。
【００４６】
まず、図４を用いて、ダイヤ管理装置１１１が実績データを取得したときの動作手順を説明する（適宜、図１〜図３参照）。
実績データ取得部５２１は、入出力部１７０経由で列車の実績データを取得する（Ｓ４０１）と、この実績データを順次、記憶部５１０の実績ダイヤ５０２として記録していく。次に、遅延時間算出部５２３は、当日実施予定ダイヤ５０１と、実績ダイヤ５０２とを比較して、列車の遅延時間を算出する（Ｓ４０２）。そして、この遅延時間を列車運行状態予測部５２４に出力する。なお、この遅延時間の算出は、実績データの入力がされるたびに行うようにしてもよいし、それとは別の周期で行うようにしてもよい。
【００４７】
列車運行状態予測部５２４は、この遅延時間と、当日実施予定ダイヤ５０１とに基づいて列車の到着出発時刻を予測する（Ｓ４０３）。なお、もし変更ダイヤ作成部５２５が作成した変更ダイヤ５０４があれば、この変更ダイヤ５０４も参照して列車の到着出発時刻を予測する。そして、列車運行状態予測部５２４は、予測した到着出発時刻を入出力部１７０経由で、列車運行情報提供サーバ１１３へ出力する（Ｓ４０４）。
【００４８】
次に、図５を用いて、ダイヤ管理装置１１１が運転整理入力を取得したときの動作手順を説明する（適宜、図１〜図４参照）。
変更ダイヤ作成部５２５は、入出力部１７０経由で、コンソール１１２からの運転整理入力を受けると（Ｓ５０１）、この運転整理入力に基づき変更ダイヤ５０４を作成する（Ｓ５０２）。そして、作成した変更ダイヤ５０４を記憶部５１０に格納する。
列車運行状態予測部５２４は、変更ダイヤ５０４が格納されたことを検知すると、この変更ダイヤ５０４および当日実施予定ダイヤ５０１に基づき、到着出発時刻を予測する（Ｓ５０３）。このとき、遅延時間算出部５２３から、遅延時間が出力されていれば、この遅延時間もあわせて到着出発時刻を予想する。そして、図４のＳ４０４と同様に、予想した到着出発時刻を入出力部１７０経由で、列車運行情報提供サーバ１１３へ出力する（Ｓ５０４）。
【００４９】
このようにして、ダイヤ管理装置１１１は、遅延時間が発生したときおよび運転整理入力がされたとき、速やかに最新の到着出発時刻（到着出発時刻の予測値）を列車運行情報提供サーバ１１３へ出力する。
【００５０】
次に、図６を用いて列車運行情報提供サーバ１１３の動作手順を説明する（適宜図１〜図５参照）。図６は、図１の列車運行情報提供サーバの動作手順を示すフローチャートである。
【００５１】
まず、下準備として、到着出発時刻取得部３２１は、ダイヤ管理装置１１１から出力された最新の到着出発時刻を取得すると、これを記憶部３１０の到着出発時刻３１１として格納しておく。このとき、到着出発時刻取得部３２１は、最新の到着出発時刻を、到着出発時刻３１１に上書きしていくものとする。
【００５２】
次に、列車運行情報提供サーバ１１３が、入出力部３７０経由で配送計画管理装置４０１から到着出発時刻読み出し要求を受信すると（Ｓ６０１）、列車出発時刻読み出し部３２２は、記憶部３１０の到着出発時刻３１１から、読み出し要求の対象である到着出発時刻を読み出す（Ｓ６０２）。そして、送信用データ作成部３２３は、到着出発時刻読み出し部３２２が読み出した到着出発時刻を送信用データ（ＨＴＭＬデータ等）に変換し（Ｓ６０３）、入出力部３７０経由で配送計画管理装置４０１へ送信する（Ｓ６０４）。そして、この後、送信履歴作成部３２５は、この配送計画管理装置４０１へデータを送信したことを送信履歴３１３に書き込む。つまり、送信履歴３１３を作成する（Ｓ６０５）。
【００５３】
なお、設定情報３１２に、所定の列車の関する到着出発時刻３１１が更新されるたびに、到着出発時刻３１１を配送計画管理装置４０１へ送信する等の情報が書かれていれば、到着出発時刻読み出し部３２２は、この設定情報３１２に従って到着出発時刻３１１から所定の情報を読み出し、配送計画管理装置４０１へ送信するものとする。
【００５４】
以上説明したシステムによれば、列車に遅延が発生した場合でも、配送計画管理装置４０１は、実際の到着出発時刻に近い（正確な）到着出発時刻の予測値を取得することができる。これにより、配送計画管理装置４０１は、効率的な配送計画を立てることができる。
【００５５】
なお、前記した実施の形態では、主として列車の遅延については記載したが、当日実施予定ダイヤよりも早く到着した場合にも同様に対応可能である。
【００５６】
本実施の形態に係るダイヤ管理装置１１１および列車運行情報提供サーバ１１３は、前記したような処理を実行させるプログラムによって実現することができ、そのプログラムをコンピュータによる読み取り可能な記憶媒体（ＣＤ−ＲＯＭ等）に記憶して提供することが可能である。また、そのプログラムを、ネットワーク３００を通して提供することも可能である。
【図面の簡単な説明】
【００５７】
【図１】本実施の形態の配送システムを示す図である。
【図２】図１のダイヤ管理装置の構成を機能展開して説明したブロック図である。
【図３】図１の列車運行情報提供サーバを機能展開して説明したブロック図である。
【図４】図１のダイヤ管理装置が実績データを取得したときの動作手順を示すフローチャートである。
【図５】図１のダイヤ管理装置が運転整理入力を受けたときの動作手順を示すフローチャートである。
【図６】図１の列車運行情報提供サーバの動作手順を示すフローチャートである。
【符号の説明】
【００５８】
１００  列車運行管理システム
１１０  中央装置
１１１  ダイヤ管理装置
１１２  コンソール
１１３  列車運行情報提供サーバ（列車運行情報提供装置）
１２０  駅装置
１２１  進路制御装置
１２２  連動装置
１３０  運行管理ネットワーク
１７０  入出力部
２０１  地上設備
３００  ネットワーク
３１０  記憶部
３１１  到着出発時刻
３１２  設定情報
３１３  送信履歴
３２０  処理部
３２１  到着出発時刻取得部
３２２  到着出発時刻読み出し部
３２３  送信用データ作成部
３２４  設定情報作成部
３２５  送信履歴作成部
３２６  データ送信部
３７０  入出力部
４０１  配送計画管理装置
５０１  当日実施予定ダイヤ
５０２  実績ダイヤ
５０４  変更ダイヤ
５１０  記憶部
５２０  処理部
５２１  実績データ取得部
５２３  遅延時間算出部
５２４  列車運行状態予測部
５２５  変更ダイヤ作成部
【図１】
0004728713.tif 000002
【図２】
0004728713.tif 000003
【図３】
0004728713.tif 000004
【図４】
0004728713.tif 000005
【図５】
0004728713.tif 000006
【図６】
0004728713.tif 000007